(57)【特許請求の範囲】
【請求項１】
表示画面に対する表示制御を行う表示制御手段を有する表示制御装置であって、
前記表示制御手段は、前記表示画面への物体の近接およびタッチを検出する検出制御手段により前記表示画面への物体の近接が検出された場合、前記物体が近接した近接位置の周辺に表示されているアイテムである注目アイテムに関連するアイテムである関連アイテムを含むメニューを表示させるとともに、前記近接位置の移動に伴い、前記近接位置の周辺に表示されている前記関連アイテムの表示態様を変化させ、前記表示画面への前記物体の近接が検出されなくなった場合、前記メニューを非表示にさせるとともに、前記メニューの表示中に前記注目アイテムへのタッチが検出された場合、前記表示画面への物体の近接が検出されなくなっても、前記メニューの表示を継続させる表示制御を行う
表示制御装置。
【請求項２】
前記表示制御手段は、前記メニューを、前記注目アイテムの周辺に、前記表示画面に表示されている画像の一部に重畳させて表示させる
請求項１に記載の表示制御装置。
【請求項３】
前記表示制御手段は、前記注目アイテムの表示領域の少なくとも一部を含む第１の領域への前記物体の近接が検出された場合、前記メニューを表示させ、前記表示画面への前記物体の近接が検出されなくなった場合、または、前記第１の領域を含み、前記第１の領域より大きい第２の領域から前記近接位置が外れた場合、前記メニューを非表示にさせる
請求項２に記載の表示制御装置。
【請求項４】
前記第２の領域は、前記メニューの表示領域を含む
請求項３に記載の表示制御装置。
【請求項５】
前記注目アイテムを含むアイテムの列が前記表示画面の端部に表示され、
前記表示制御手段は、前記列に対して直交する方向に前記メニューを延伸させる
請求項２に記載の表示制御装置。
【請求項６】
前記表示制御手段は、前記注目アイテムへのタッチが検出された場合、前記メニューに
表示する前記関連アイテムの種類を変更させる
請求項１に記載の表示制御装置。
【請求項７】
前記表示制御手段は、前記近接位置の周辺に表示されている前記関連アイテムの表示態様を変化させるとともに、前記関連アイテムに関する関連情報を表示させる
請求項１に記載の表示制御装置。
【請求項８】
前記表示制御手段は、前記表示画面に前記物体がタッチした接触位置に基づいて、前記関連アイテムに対する選択を確定させる
請求項１に記載の表示制御装置。
【請求項９】
前記表示制御手段は、前記表示画面から前記物体が離れる直前の前記接触位置に基づいて、前記関連アイテムの選択を確定させる
請求項８に記載の表示制御装置。
【請求項１０】
前記表示制御手段は、前記接触位置の移動に応じて、前記接触位置の周辺に表示されている前記関連アイテムの表示態様を変化させる
請求項９に記載の表示制御装置。
【請求項１１】
前記表示制御手段は、前記近接位置の周辺に表示されている前記注目アイテムまたは前記関連アイテムの表示態様を変化させる
請求項１に記載の表示制御装置。
【請求項１２】
表示画面への物体の近接が検出された場合、前記物体が近接した近接位置の周辺に表示されているアイテムである注目アイテムに関連するアイテムである関連アイテムを含むメニューを表示させるとともに、前記近接位置の移動に伴い、前記近接位置の周辺に表示されている前記関連アイテムの表示態様を変化させ、前記表示画面への前記物体の近接が検出されなくなった場合、前記メニューを非表示にさせるとともに、前記メニューの表示中に前記注目アイテムへのタッチが検出された場合、前記表示画面への物体の近接が検出されなくなっても、前記メニューの表示を継続させる
ステップを含む表示制御方法。
【発明の詳細な説明】
【技術分野】
【０００１】
本発明は、表示制御装置および方法に関し、特に、近接により操作可能な表示装置の表示制御を行う場合に用いて好適な表示制御装置および方法に関する。
【背景技術】
【０００２】
従来、カーナビゲーション装置において、ユーザが表示画面に指を近接させると、その付近に所定のメニューを地図に重畳させて表示し、表示したメニューに指を触れてアイテム（項目）の選択を行うようにすることが提案されている（例えば、特許文献１参照）。
【先行技術文献】
【特許文献】
【０００３】
【特許文献１】特開２００２−３５８１６２号公報
【発明の概要】
【発明が解決しようとする課題】
【０００４】
しかしながら、特許文献１に記載の発明では、ユーザが、メニュー内の意図しないアイテムに誤って指を触れてしまい、希望しない処理が実行されてしまうといった誤操作が発生することが想定される。
【０００５】
本発明は、このような状況を鑑みてなされたものであり、近接により操作可能な表示装置に表示されるアイテムの中から所望のアイテムを確実に選択できるようにするものである。
【課題を解決するための手段】
【０００６】
本発明の一側面の表示制御装置は、表示画面に対する表示制御を行う表示制御手段を有する表示制御装置であって、前記表示制御手段は、前記表示画面への物体の近接およびタッチを検出する検出制御手段により前記表示画面への物体の近接が検出された場合、前記物体が近接した近接位置の周辺に表示されているアイテムである注目アイテムに関連するアイテムである関連アイテムを含むメニューを表示させるとともに、前記近接位置の移動に伴い、前記近接位置の周辺に表示されている前記関連アイテムの表示態様を変化させ、前記表示画面への前記物体の近接が検出されなくなった場合、前記メニューを非表示にさせるとともに、前記メニューの表示中に前記注目アイテムへのタッチが検出された場合、前記表示画面への物体の近接が検出されなくなっても、前記メニューの表示を継続させる表示制御を行う。
【０００７】
前記表示制御手段には、前記メニューを、前記注目アイテムの周辺に、前記表示画面に表示されている画像の一部に重畳させて表示させるようにすることができる。
【０００８】
前記表示制御手段には、前記注目アイテムの表示領域の少なくとも一部を含む第１の領域への前記物体の近接が検出された場合、前記メニューを表示させ、前記表示画面への前記物体の近接が検出されなくなった場合、または、前記第１の領域を含み、前記第１の領域より大きい第２の領域から前記近接位置が外れた場合、前記メニューを非表示にさせるようにすることができる。
【０００９】
前記第２の領域は、前記メニューの表示領域を含むようにすることができる。
【００１０】
前記注目アイテムを含むアイテムの列が前記表示画面の端部に表示させ、前記表示制御手段には、前記列に対して直交する方向に前記メニューを延伸させるようにすることができる。
【００１２】
前記表示制御手段には、前記注目アイテムへのタッチが検出された場合、前記メニューに表示する前記関連アイテムの種類を変更させるようにすることができる。
【００１３】
前記表示制御手段には、前記近接位置の周辺に表示されている前記関連アイテムの表示態様を変化させるとともに、前記関連アイテムに関する関連情報を表示させるようにすることができる。
【００１４】
前記表示制御手段には、前記表示画面に前記物体がタッチした接触位置に基づいて、前記関連アイテムに対する選択を確定させるようにすることができる。
【００１５】
前記表示制御手段には、前記表示画面から前記物体が離れる直前の前記接触位置に基づいて、前記関連アイテムの選択を確定させるようにすることができる。
【００１６】
前記表示制御手段には、前記接触位置の移動に応じて、前記接触位置の周辺に表示されている前記関連アイテムの表示態様を変化させるようにすることができる。
【００１７】
前記表示制御手段には、前記近接位置の周辺に表示されている前記注目アイテムまたは前記関連アイテムの表示態様を変化させるようにすることができる。
【００１８】
本発明の一側面の表示制御方法は、表示画面への物体の近接が検出された場合、前記物体が近接した近接位置の周辺に表示されているアイテムである注目アイテムに関連するアイテムである関連アイテムを含むメニューを表示させるとともに、前記近接位置の移動に伴い、前記近接位置の周辺に表示されている前記関連アイテムの表示態様を変化させ、前記表示画面への前記物体の近接が検出されなくなった場合、前記メニューを非表示にさせるとともに、前記メニューの表示中に前記注目アイテムへのタッチが検出された場合、前記表示画面への物体の近接が検出されなくなっても、前記メニューの表示を継続させる。
【００１９】
本発明の一側面においては、表示画面への物体の近接が検出された場合、前記物体が近接した近接位置の周辺に表示されているアイテムである注目アイテムに関連するアイテムである関連アイテムを含むメニューが表示され、前記近接位置の移動に伴い、前記近接位置の周辺に表示されている前記関連アイテムの表示態様が変化し、前記表示画面への前記物体の近接が検出されなくなった場合、前記メニューが非表示にされ、前記メニューの表示中に前記注目アイテムへのタッチが検出された場合、前記表示画面への物体の近接が検出されなくなっても、前記メニューの表示が継続する。
【発明の効果】
【００２０】
本発明の一側面によれば、近接により操作可能な表示装置に表示されるアイテムの中から所望のアイテムを確実に選択することができる。
【図面の簡単な説明】
【００２１】
【図１】本発明を適用したディジタルカメラの一実施の形態の構成例を示すブロック図である。
【図２】ディジタルカメラの外観構成例を示す斜視図である。
【図３】ディジタルカメラのCPUにより実現される機能の構成例を示すブロック図である。
【図４】撮影待機画面の表示例を示す図である。
【図５】ディジタルカメラにより実行される表示制御処理を説明するためのフローチャートである。
【図６】ディジタルカメラにより実行される表示制御処理を説明するためのフローチャートである。
【図７】撮影モードアイコンの近接反応領域、接触反応領域の例を示す図である。
【図８】オプションメニューの表示例を示す図である。
【図９】撮影モードアイコンの拡大された近接反応領域、オプションアイコンの接触反応領域の例を示す図である。
【図１０】オプションアイコンに指を近接させたときの撮影待機画面の表示例を示す図である。
【図１１】撮影モード設定画面の例を示す図である。
【発明を実施するための形態】
【００２２】
以下、本発明を実施するための形態（以下、実施の形態という）について説明する。なお、説明は以下の順序で行う。
１．実施の形態
２．変形例
【００２３】
＜１．実施の形態＞
［ディジタルカメラ１の構成例］
図１は、本発明を適用したディジタルカメラ（ディジタルスチルカメラ）１の一実施の形態の構成例を示すブロック図である。
【００２４】
レンズ部１１は、撮影レンズ、絞り、フォーカスレンズ等を含み、レンズ部１１に入射する光は、撮像素子１２に照射される。
【００２５】
撮像素子１２は、例えば、CCDや(Charge Coupled Device)や、CMOS(Complementary Metal Oxide Semiconductor)イメージャ等で構成され、レンズ部１１からの光を光電変換し、その結果得られるアナログの画像信号を、アナログ信号処理部１３に供給する。
【００２６】
アナログ信号処理部１３は、撮像素子１２からの画像信号に、相関二重サンプリング処理や自動利得調整処理等のアナログ信号処理を施し、A/D(Analog/Digital)変換部１４に供給する。
【００２７】
A/D変換部１４は、アナログ信号処理部１３からの画像信号をA/D変換し、その結果得られるディジタルの画像データを、ディジタル信号処理部１５に供給する。
【００２８】
ディジタル信号処理部１５は、A/D変換部１４からの画像データに、ホワイトバランス調整処理や、ノイズ除去処理、必要な圧縮符号化処理（例えば、JPEG(Joint Photographic Experts Group)符号化等）等のディジタル信号処理を施し、入出力パネル１８の表示部１７や記録デバイス１９に供給する。
【００２９】
入出力パネル１８は、入力部１６と表示部１７とで構成される。
【００３０】
入力部１６は、外部からの入力を受け付ける（検出する）機能を有するデバイス、すなわち、例えば、静電式等のタッチパネルや、光を照射する光源と、その光の、物体からの反射光を受光するセンサとのセット等で構成される。
【００３１】
入力部１６は、外部からの物体（例えば、ユーザの指や、ユーザが扱うタッチペン等）の近接およびタッチ（接触）を検出し、その近接またはタッチされている位置を表す信号（以下、操作信号と称する）を、CPU２３に供給する。
【００３２】
表示部１７は、画像を表示するデバイス（表示装置）、例えば、液晶パネル等で構成され、ディジタル信号処理部１５から供給される画像データ等に応じて、画像を表示する。
【００３３】
入出力パネル１８は、以上のような入力部１６と表示部１７とが一体的になっており、表示部１７において画像を表示し、入力部１６において、表示部１７に表示された画像に対する外部からの操作入力（ここでは、近接とタッチの両方）を受け付けることができる。
【００３４】
なお、以下、入出力パネル１８の入力部１６に対する入力（近接またはタッチ）に用いる指やタッチペン等の物体を入力ツールと称する。
【００３５】
なお、指やタッチペン以外にも、入出力パネル１８の入力部１６上の位置を指定するために近接およびタッチさせることが可能な任意の物体を、入力ツールとして用いることが可能である。
【００３６】
記録デバイス１９には、例えば、DVD(Digital Versatile Disc)等のディスクや、メモリカード等の半導体メモリその他のリムーバブルな記録媒体（図示せず）の着脱が可能になっている。そして、記録デバイス１９は、装着された記録媒体に対する画像データの記録再生制御を行う。すなわち、記録デバイス１９は、ディジタル信号処理部１５からの画像データを、記録媒体に記録し、また、記録媒体に記録された画像データを読み出し、ディジタル信号処理部１５に供給する。
【００３７】
アクチュエータ２０は、レンズ部１１のフォーカスレンズや絞りを調整するモータであり、モータドライブ２１によって駆動される。
【００３８】
モータドライブ２１は、CPU(Central Processing Unit)２３の制御に従い、アクチュエータ２０を駆動する。
【００３９】
TG(Timing Generator)２２は、CPU２３の制御に従い、露出時間等を調整するためのタイミング信号を、撮像素子１２に供給する。
【００４０】
CPU２３は、プログラムROM(Read Only Memory)２６に記憶されたプログラム、さらには、必要に応じて、EEPROM(Electrically Erasable Programmable ROM)２５に記憶されたプログラムを実行することにより、ディジタルカメラ１を構成する各ブロックを制御する。
【００４１】
操作部２４は、ユーザによって操作される物理的なボタン等であり、ユーザの操作に対応する信号（以下、操作信号と称する）を、CPU２３に供給する。
【００４２】
EEPROM２５は、例えば、ユーザが操作部２４等を操作することにより設定した撮像パラメータ等の、ディジタルカメラ１の電源がオフされたときにも保持する必要があるデータや、プログラムを記憶する。
【００４３】
プログラムROM２６は、CPU２３が実行するプログラム等を記憶している。
【００４４】
RAM２７は、CPU２３の動作上必要なデータやプログラムを一時記憶する。
【００４５】
以上のように構成されるディジタルカメラ１では、CPU２３が、プログラムROM２６等に記録されているプログラムを実行することにより、ディジタルカメラ１の各部を制御する。
【００４６】
一方、レンズ部１１に入射した光は、撮像素子１２において光電変換され、その結果得られる画像信号が、アナログ信号処理部１３に供給される。アナログ信号処理部１３では、撮像素子１２からの画像信号に、アナログ信号処理が施され、A/D変換部１４に供給される。
【００４７】
A/D変換部１４では、アナログ信号処理部１３からの画像信号が、A/D変換され、その結果得られるディジタルの画像データが、ディジタル信号処理部１５に供給される。
【００４８】
ディジタル信号処理部１５では、A/D変換部１４からの画像データに、ディジタル信号処理が施され、入出力パネル１８の表示部１７に供給されて、対応する画像、すなわち、いわゆるスルー画が表示される。
【００４９】
また、CPU２３は、入出力パネル１８の入力部１６や操作部２４からの操作信号に従い、所定の処理を実行する。
【００５０】
すなわち、入出力パネル１８の入力部１６や操作部２４が、例えば、撮像を行うように操作されると、CPU２３は、写真としての静止画を撮影するための処理を行い、ディジタル信号処理部１５に、A/D変換部１４からの画像データに対して、圧縮符号化処理を施させ、記録デバイス１９を介して、記録媒体に記録させる。
【００５１】
また、入出力パネル１８の入力部１６や操作部２４が、例えば、再生を行うように操作されると、CPU２３は、ディジタル信号処理部１５を制御することにより、記録デバイス１９を介して、記録媒体から、画像データを読み出させる。
【００５２】
さらに、CPU２３は、ディジタル信号処理部１５に、記録媒体から読み出した画像データを伸張させ、入出力パネル１８に供給して表示させる。
【００５３】
また、CPU２３は、入出力パネル１８の入力部１６や操作部２４からの操作信号等に応じて、ディジタルカメラ１の操作や各種の情報の確認等を行うためのGUI(Graphical User Interface)の画像を、ディジタル信号処理部１５を介して、入出力パネル１８に供給して表示させる。
【００５４】
なお、GUIに用いるデータは、例えば、EEPROM２５やプログラムROM２６に記憶されている。
【００５５】
また、CPU２３に実行させるプログラムは、例えば、リムーバブルな記録媒体からディジタルカメラ１にインストールしたり、ネットワークを介してダウンロードし、ディジタルカメラ１にインストールしたりすることができる。
【００５６】
図２は、図１のディジタルカメラ１の外観構成例を示す斜視図である。
【００５７】
すなわち、図２Ａは、ディジタルカメラ１の前面側（撮像時に被写体に向けられる側）の斜視図であり、図２Ｂは、ディジタルカメラ１の背面側の斜視図である。
【００５８】
レンズカバー３１は、ディジタルカメラ１の前面を覆うように設けられており、上下に移動可能になっている。
【００５９】
レンズカバー３１が上側に位置しているときには、レンズ部１１等が覆われた状態になる。また、レンズカバー３１が下側に位置しているときには、レンズ部１１等が露出し、ディジタルカメラ１は、撮影可能な状態となる。
【００６０】
図２Ａでは、レンズカバー３１は、下側に位置しており、レンズ部１１が露出している。
【００６１】
レンズ部１１の左側には、AFイルミネータ３２が設けられている。AFイルミネータ３２は、例えば、被写体が暗く、AF機能によってフォーカスを合わせることが困難な場合に、被写体を照明するための光（補助光）を発する。
【００６２】
なお、AFイルミネータ３２は、セルフタイマを使用して撮影を行う場合に、ユーザに、セルフタイマによる撮影のタイミングを知らせるために発光するセルフタイマランプとしても機能する。
【００６３】
ディジタルカメラ１の上部には、図１の操作部２４を構成する電源ボタン３３、再生ボタン３４、シャッタボタン（レリーズボタン）３５、及び、ズームレバー３６が設けられている。
【００６４】
電源ボタン３３は、ディジタルカメラ１の電源のオンとオフとを切り替えるときに操作され、再生ボタン３４は、記録デバイス１９（図１）に装着された記録媒体に記録された画像データを再生するときに操作される。
【００６５】
シャッタボタン（レリーズボタン）３５は、記録デバイス１９（図１）に装着された記録媒体に画像データを記録する（写真（静止画）を撮る）ときに操作され、ズームレバー３６は、ズームを調整するときに操作される。
【００６６】
ディジタルカメラ１の背面には、入出力パネル１８が設けられている。入出力パネル１８には、スルー画やGUI等が表示される。
【００６７】
ユーザは、入出力パネル１８に、入力ツールを近接、または、タッチすることで、ディジタルカメラ１に、各種の（操作）入力を与えることができる。
【００６８】
［CPU２３により実現される機能の構成例］
図３は、図１のCPU２３が所定の制御プログラムを実行することにより実現される機能の一部の構成例を示すブロック図である。CPU２３が所定の制御プログラムを実行することにより、表示制御装置５１および情報処理装置５２として動作する機能を含む機能が実現される。
【００６９】
表示制御装置５１は、入出力パネル１８の入力部１６に対する操作（入力ツールの近接またはタッチ）、および、操作部２４に対する操作に応じて、ディジタル信号処理部１５を介して、ディジタルカメラ１の操作や各種の情報の確認等を行うためGUIを入出力パネル１８の表示部１７に表示させる。
【００７０】
表示制御装置５１は、入力検出部６１および表示制御部６２を含むように構成される。
【００７１】
入力検出部６１は、入出力パネル１８の入力部１６からの操作信号に基づいて、入出力パネル１８の入力部１６に対する外部からの入力（入力ツールの近接またはタッチ）、並びに、その近接またはタッチされた入力部１６上の位置等を検出する。そして、入力検出部６１は、それらの検出結果を含む情報を、入出力パネル１８の入力部１６に対してユーザが行った操作を表す操作情報として、表示制御部６２に供給する。
【００７２】
表示制御部６２は、操作部２４からの操作信号、および、入力検出部６１からの操作情報により示されるユーザ操作に応じて、EEPROM２５やプログラムROM２６に記憶されているデータ等に基づいて、ディジタル信号処理部１５を介して、GUIを入出力パネル１８の表示部１７に表示させる。
【００７３】
また、表示制御部６２は、入力検出部６１からの操作情報に基づいて、入出力パネル１８の表示部１７に表示されているGUIに対してユーザが入力部１６を操作することにより、実行が指令されたディジタルカメラ１の機能を認識する。そして、表示制御部６２は、認識した機能を情報処理装置５２に通知する。
【００７４】
情報処理装置５２は、ディジタルカメラ１の各部を制御して、表示制御部６２から通知された機能を実行させる。
【００７５】
［入出力パネル１８の表示例］
図４は、入出力パネル１８の表示部１７の表示画面の表示例を示す図である。
【００７６】
図４は、ディジタルカメラ１が撮影待機状態になっており、かつ、入力部１６に対して入力ツールが近接もタッチもしていない状態の入出力パネル１８の表示部１７の表示画面の表示例を示している。
【００７７】
ここで、撮影待機状態とは、シャッタボタン３５（図２）が操作されたならば、写真（静止画）の撮影が行われる状態（画像が撮像され、記録デバイス１９（図１）に装着された記録媒体に記録される状態）を意味する。
【００７８】
図４の表示画面では、左右の縦長の帯状の領域ＡＬ，ＡＲを除く中央の領域ＡＣ内に、スルー画が表示されている。また、所定の機能が割り当てられているアイコン１０１乃至１０５が、領域ＡＬ内の所定の位置に所定のサイズで縦に並べて表示されている。さらに、所定の機能が割り当てられているアイコン１０６，１０７、並びに、ディジタルカメラ１の状態等を示すアイコン群１０８が、領域ＡＲ内の所定の位置に所定のサイズで縦に並べて表示されている。
【００７９】
なお、アイコン群１０８には、例えば、ディジタルカメラ１のバッテリ残量、記録媒体への写真（静止画）の記録可能枚数、設定されている撮影モード等を表すアイコンが含まれる。
【００８０】
ユーザは、例えば、図４の表示画面上のアイコン１０１乃至１０７に、入力ツールを近接またはタッチさせることにより、各アイコンに割り当てられている機能をディジタルカメラ１に実行させることができる。
【００８１】
なお、以下、図４の表示画面を撮影待機画面と称する。
【００８２】
また、以下、入出力パネル１８の入力部１６および表示部１７の横方向をｘ軸方向とし、縦方向をｙ軸方向とする。従って、例えば、図４の撮影待機画面の横方向がｘ軸方向となり、縦方向がｙ軸方向となる。
【００８３】
さらに、以下、入出力パネル１８の入力部１６および表示部１７の記載を省略し、単に、入出力パネル１８と記載する場合がある。例えば、「入出力パネル１８の表示部１７が画像を表示する」ことを、「入出力パネル１８が画像を表示する」と記載したり、「入出力パネル１８の入力部１６に入力ツールを近接またはタッチさせる」ことを、「入出力パネル１８に入力ツールを近接またはタッチさせる」と記載したりする場合がある。
【００８４】
［撮影モードアイコンの操作時の表示制御処理］
次に、図５および図６のフローチャートを参照して、図４の撮影待機画面において、撮影モードを設定するためのアイコン１０６（以下、撮影モードアイコン１０６と称する）に注目し、撮影モードアイコン１０６の操作時に、ディジタルカメラ１により実行される表示制御処理について説明する。
【００８５】
なお、この処理は、例えば、ディジタルカメラ１の電源がオンされたとき、または、入出力パネル１８もしくは操作部２４に対して、入出力パネル１８に撮影待機画面を表示させる操作が行われたとき開始される。
【００８６】
また、以下、説明を簡単にするために、撮影モードアイコン１０６に対する操作に関わる処理以外の処理（例えば、撮影モードアイコン１０６以外のアイコンが操作されたときの処理等）の説明は省略する。
【００８７】
ステップＳ１において、ディジタルカメラ１は、撮影待機画面を表示する。具体的には、撮像素子１２は、撮像の結果得られる画像信号をアナログ信号処理部１３に供給する。アナログ信号処理部１３は、撮像素子１２からの画像信号に、アナログ信号処理を施し、A/D変換部１４に供給する。A/D変換部１４は、アナログ信号処理部１３からの画像信号をA/D変換し、その結果得られるディジタルの画像データを、ディジタル信号処理部１５に供給する。ディジタル信号処理部１５では、A/D変換部１４からの画像データに、ディジタル信号処理を施し、入出力パネル１８に供給する。入出力パネル１８は、ディジタル信号処理部１５からの画像信号に基づいて、撮影待機画面の領域ＡＣにスルー画を表示する。
【００８８】
また、表示制御部６２は、ディジタル信号処理部１５を介して、アイコン１０１乃至１０５を、撮影待機画面の領域ＡＬに縦に並べて表示させ、撮影モードアイコン１０６、アイコン１０７、および、アイコン群１０８を撮影待機画面の領域ＡＲに縦に並べて表示させる。
【００８９】
ステップＳ２において、表示制御部６２は、撮影モードアイコン１０６の近接反応領域、接触反応領域を設定する。
【００９０】
ここで、近接反応領域とは、入出力パネル１８に表示されているアイコン、文字列、サムネイル等の各アイテムへの入力ツールの近接を検出する基準となる領域である。また、接触反応領域とは、入出力パネル１８に表示されている各アイテムへの入力ツールの接触を検出する基準となる領域である。
【００９１】
図７は、ステップＳ２の処理において、撮影モードアイコン１０６に対して設定される近接反応領域Ｒｃおよび接触反応領域Ｒｔ１の一例を示している。近接反応領域Ｒｃは、撮影モードアイコン１０６の見た目より一回り大きく、撮影モードアイコン１０６を囲む矩形の領域に設定される。また、接触反応領域Ｒｔ１は、近接反応領域Ｒｃと同じ領域に設定される。
【００９２】
ステップＳ３において、入力検出部６１は、入出力パネル１８からの操作信号に基づいて、入力ツールの近接位置の検出を行う。入力検出部６１は、入力ツールの近接位置の検出結果を含む操作情報を表示制御部６２に供給する。
【００９３】
ステップＳ４において、表示制御部６２は、撮影モードアイコン１０６の近接反応領域Ｒｃに入力ツールが近接されているか否かを判定する。そして、入出力パネル１８への入力ツールの近接が検出されなかった場合、または、検出された近接位置が近接反応領域Ｒｃから外れている場合、撮影モードアイコン１０６の近接反応領域Ｒｃに入力ツールが近接されていないと判定され、処理はステップＳ３に戻る。
【００９４】
その後、ステップＳ４において、撮影モードアイコン１０６の近接反応領域Ｒｃに入力ツールが近接されていると判定されるまで、ステップＳ３およびＳ４の処理が繰り返し実行される。
【００９５】
一方、ステップＳ４において、入出力パネル１８への入力ツールの近接が検出され、検出された近接位置が近接反応領域Ｒｃ内である場合、撮影モードアイコン１０６の近接反応領域Ｒｃに入力ツールが近接されていると判定され、処理はステップＳ５に進む。
【００９６】
ステップＳ５において、表示制御部６２は、ディジタル信号処理部１５を介して、撮影モードアイコン１０６の表示態様を変化させるとともに、オプションメニューを表示させる。
【００９７】
図８は、入力ツールとしての指１２１を撮影モードアイコン１０６に近づけた場合に、ステップＳ５の処理で、入出力パネル１８に表示される表示画面の一例を示している。
【００９８】
図８の表示画面では、撮影モードアイコン１０６およびその周囲が反転表示されるとともに、撮影モードアイコン１０６を囲むようにカーソル１３１が表示されている。これにより、ユーザは、指１２１を撮影モードアイコン１０６に近づけることにより、撮影モードアイコン１０６が選択されている（撮影モードアイコン１０６が指１２１に反応している）ことを直感的に認識することができる。
【００９９】
なお、反転表示やカーソル表示は一例であり、それ以外の態様で、撮影モードアイコン１０６が選択されていることを示すようにしてもよい。例えば、撮影モードアイコン１０６の色、大きさ、デザイン、明るさ等を変化させるようにしてもよい。また、複数の表示態様の変化を組み合わせるようにしてもよい。
【０１００】
また、撮影モードアイコン１０６の上方に、撮影モードアイコン１０６に関する関連情報として、撮影モードアイコン１０６に割り当てられている機能を説明する機能ガイド１３２が表示されている。これにより、ユーザは、撮影モードアイコン１０６に割り当てられている機能の詳細を、簡単かつ迅速に認識することができる。
【０１０１】
さらに、横長のオプションメニュー１３３が、撮影モードアイコン１０６の左隣に、領域ＡＲに直交する方向に延伸し、かつ、領域ＡＣのスルー画に重畳するように表示されている。また、オプションアイコン１４１乃至１４３が、オプションメニュー１３３内の所定の位置に所定のサイズで横に並べて表示されている。
【０１０２】
オプションアイコン１４１乃至１４３は、撮影モードアイコン１０６に関連するアイコンである。より具体的には、オプションアイコン１４１乃至１４３は、ディジタルカメラ１のメニュー体系において撮影モードアイコン１０６の下位の階層に属するアイコンである。そして、オプションアイコン１４１乃至１４３には、ディジタルカメラ１の撮影モードのうちの１つを設定する機能がそれぞれ割り当てられている。
【０１０３】
また、オプションメニュー１３３に表示させるオプションアイコン１４１乃至１４３は、ユーザが自由に設定することができる。例えば、ユーザは、よく使用する撮影モードを迅速に設定できるように、その撮影モードに対応するアイコンをオプションアイコンに設定し、オプションメニュー１３３に表示させるようにすることができる。
【０１０４】
さらに、機能ガイド１３２およびオプションメニュー１３３は、背景のスルー画が透けて見えるように半透明で表示されている。これにより、機能ガイド１３２およびオプションメニュー１３３が表示された状態でも、背景のスルー画を確実に視認することができる。
【０１０５】
このようにして、入力ツールが近接した近接位置の周辺に表示されている撮影モードアイコン１０６に関連するオプションアイコン１４１乃至１４３を含むオプションメニュー１３３を表示される。
【０１０６】
ステップＳ６において、表示制御部６２は、撮影モードアイコン１０６の近接反応領域を拡大するとともに、オプションアイコン１４１乃至１４３の接触反応領域を設定する。
【０１０７】
図９は、ステップＳ６の処理において設定される撮影モードアイコン１０６の近接反応領域Ｒｃ’、および、オプションアイコン１４１乃至１４３の接触反応領域Ｒｔ２乃至Ｒｔ４を示している。なお、この図では、図を分かりやすくするために、カーソル１３１および機能ガイド１３２の図示、並びに、撮影モードアイコン１０６の反転表示を省略している。また、オプションメニュー１３３の上方の二点鎖線で示される領域は、図１０を参照して後述する、オプションアイコン１４１乃至１４３の機能ガイドが表示される領域である。
【０１０８】
撮影モードアイコン１０６の近接反応領域Ｒｃ’は、図７の近接反応領域Ｒｃより大きく、近接反応領域Ｒｃ、オプションメニュー１３３、および、オプションアイコン１４１乃至１４３の機能ガイドの表示領域を含む矩形の領域に設定される。
【０１０９】
なお、近接反応領域Ｒｃ’に、機能ガイドの表示領域の一部または全部を含めないようにしてもよい。
【０１１０】
接触反応領域Ｒｔ２乃至Ｒｔ４は、それぞれオプションアイコン１４１乃至１４３の見た目より一回り大きく、オプションアイコン１４１乃至１４３をそれぞれ囲む矩形の領域に設定される。
【０１１１】
なお、撮影モードアイコン１０６の接触反応領域Ｒｔ１、および、オプションアイコン１４１乃至１４３の接触反応領域Ｒｔ２乃至Ｒｔ４は、ほぼ等しい大きさに設定される。
【０１１２】
ステップＳ７において、入力検出部６１は、入出力パネル１８からの操作信号に基づいて、入力ツールの接触位置の検出を行う。入力検出部６１は、入力ツールの接触位置の検出結果を含む操作情報を表示制御部６２に供給する。
【０１１３】
ステップＳ８において、表示制御部６２は、入力検出部６１による検出結果に基づいて、入出力パネル１８に入力ツールがタッチしているか否かを判定する。入出力パネル１８に入力ツールがタッチしていないと判定された場合、処理はステップＳ９に進む。
【０１１４】
ステップＳ９において、ステップＳ３の処理と同様に、入力ツールの近接位置の検出が行われ、入力ツールの近接位置の検出結果を含む操作情報が、入力検出部６１から表示制御部６２に供給される。
【０１１５】
ステップＳ１０において、表示制御部６２は、撮影モードアイコン１０６の拡大された近接反応領域Ｒｃ’に入力ツールが近接されているか否かを判定する。そして、入出力パネル１８への入力ツールの近接が検出され、検出された近接位置が近接反応領域Ｒｃ’内である場合、近接反応領域Ｒｃ’に入力ツールが近接されていると判定され、処理はステップＳ１１に進む。
【０１１６】
ステップＳ１１において、表示制御部６２は、ディジタル信号処理部１５を介して、入力ツールの近接位置に応じて、各アイコンの表示態様等を変化させる。
【０１１７】
具体的には、表示制御部６２は、入力ツールの近接位置のｘ座標が、接触反応領域Ｒｔ１乃至Ｒｔ４のいずれかのｘ軸方向の範囲内である場合、その接触反応領域に対応するアイコンを選択中であると判定する。
【０１１８】
なお、以下、各接触反応領域Ｒｔ１乃至Ｒｔ４のｘ軸方向の範囲と、近接反応領域Ｒｃ’のｙ軸方向の範囲により定義される領域を選択判定領域と称する。例えば、撮影モードアイコン１０６の選択判定領域は、接触反応領域Ｒｔ１のｘ軸方向の範囲と、近接反応領域Ｒｃ’のｙ軸方向の範囲により定義される領域となる。
【０１１９】
そして、表示制御部６２は、選択中であると判定したアイコンの表示態様を変化させるとともに、そのアイコンに割り当てられている機能を説明する機能ガイドを表示させる。
【０１２０】
例えば、図８に示される状態から、指１２１を入出力パネル１８に近づけたまま動かし、図１０に示されるように、指１２１をオプションアイコン１４３上に持ってきた場合について説明する。
【０１２１】
この場合、指１２１の近接位置のｘ座標がオプションアイコン１４３の選択判定領域内に含まれ、オプションアイコン１４３を選択中であると判定される。そして、オプションアイコン１４３が反転表示されるとともに、オプションアイコン１４３を囲むようにカーソル１３１が表示される。すなわち、入力ツールである指１２１の移動に伴い、指１２１の近接位置の周辺に表示されているオプションアイコン１４３の表示態様が変化する。
【０１２２】
これにより、ユーザは、指１２１を入出力パネル１８に近づけたまま動かすことにより、アイコンの選択が切り替わるとともに、指１２１の近くに表示されているアイコンが選択されている（アイコンが指１２１に反応している）ことを直感的に認識することができる。
【０１２３】
なお、図８の撮影モードアイコン１０６の場合と同様に、反転表示やカーソル表示以外の態様を用いたり、複数の表示態様の変化を組み合わせたりして、各オプションアイコンが選択されていることを示すようにしてもよい。
【０１２４】
また、オプションメニュー１３３の上方に、オプションアイコン１４３に割り当てられている機能の名称と内容を説明する機能ガイド１５１が表示されている。これにより、ユーザは、オプションアイコン１４３に割り当てられている機能の詳細を、簡単かつ迅速に認識することができる。
【０１２５】
さらに、機能ガイド１５１は、背景のスルー画が透けて見えるように半透明で表示されている。これにより、機能ガイド１５１が表示された状態でも、背景のスルー画を確実に視認することができる。
【０１２６】
なお、入力ツールの近接位置が、いずれのアイコンの選択判定領域にも含まれていない場合、アイコンの選択状態は変化せず、そのまま維持される。
【０１２７】
例えば、図１０の状態から、指１２１をオプションアイコン１４３の上方からオプションアイコン１４２の上方に移動させる場合、その途中で、指１２１の近接位置が、いずれのアイコンの選択判定領域にも含まれなくなる状態が生じる。このとき、オプションアイコン１４３の選択状態がそのまま維持され、図１０の表示画面がそのまま継続して表示される。そして、指１２１の近接位置が、オプションアイコン１４２の選択判定領域に入った時点で、オプションアイコン１４２を選択中であると判定され、オプションアイコン１４２の表示態様が変化し、オプションアイコン１４２の機能ガイドが表示される。
【０１２８】
図５に戻り、その後、処理はステップＳ７に戻る。そして、ステップＳ８において、入出力パネル１８に入力ツールがタッチしていると判定されるか、ステップＳ１０において、近接反応領域Ｒｃ’に入力ツールが近接されていないと判定されるまで、ステップＳ７乃至Ｓ１１の処理が繰り返し実行される。
【０１２９】
従って、ユーザは、入力ツールを入出力パネル１８にタッチさせなくても、入出力パネル１８に近づけたまま近接反応領域Ｒｃ’内で動かすことにより、撮影モードアイコン１０６およびオプションアイコン１４１乃至１４３に対する選択を自由に変更することができる。また、アイコンの選択の変更に伴い、選択されたアイコンの表示態様が変化し、機能ガイドの表示が切り替わる。
【０１３０】
一方、ステップＳ１０において、入出力パネル１８への入力ツールの近接が検出されなかった場合、または、検出された近接位置が近接反応領域Ｒｃ’から外れている場合、近接反応領域Ｒｃ’に入力ツールが近接されていないと判定され、処理はステップＳ１２に進む。
【０１３１】
ステップＳ１２において、表示制御部６２は、各アイコンの反応領域を元に戻す。すなわち、表示制御部６２は、撮影モードアイコン１０６の近接反応領域Ｒｃ’を近接反応領域Ｒｃに縮小し、オプションアイコン１４１乃至１４３の接触反応領域Ｒｔ２乃至Ｒｔ４の設定を解除する。これにより、各アイコンの反応領域の状態が、図９の状態から図７の状態に戻る。
【０１３２】
ステップＳ１３において、表示制御部６２は、ディジタル信号処理部１５を介して、オプションメニュー１３３を非表示にする。すなわち、オプションメニュー１３３が閉じられ、機能ガイドおよびカーソル１３１が消され、入出力パネル１８の表示画面が、図４の状態に戻る。
【０１３３】
その後、処理はステップＳ３に戻り、ステップＳ３以降の処理が実行される。
【０１３４】
一方、ステップＳ８において、入出力パネル１８に入力ツールがタッチされていると判定された場合、処理はステップＳ１４に進む。
【０１３５】
ステップＳ１４において、表示制御部６２は、撮影モードアイコン１０６の拡大された近接反応領域Ｒｃ’内に入力ツールがタッチされているか否かを判定する。そして、検出された入力ツールの接触位置が近接反応領域Ｒｃ’内である場合、近接反応領域Ｒｃ’内に入力ツールがタッチされていると判定され、処理はステップＳ１５に進む。
【０１３６】
ステップＳ１５において、表示制御部６２は、ディジタル信号処理部１５を介して、入力ツールの接触位置に応じて、各アイコンの表示態様等を変化させる。
【０１３７】
なお、ステップＳ１５では、近接位置を接触位置に置き換えただけで、基本的にステップＳ１２と同様の処理が行われる。すなわち、近接位置を用いた場合と同様の判定方法により、入力ツールの接触位置に基づいて、選択中のアイコンが検出される。また、選択中のアイコンの表示態様が変化するとともに、そのアイコンに対応する機能ガイドが表示される。
【０１３８】
ステップＳ１６において、ステップＳ７の処理と同様に、入力ツールの接触位置の検出が行われ、入力ツールの接触位置の検出結果を含む操作情報が、入力検出部６１から表示制御部６２に供給される。
【０１３９】
ステップＳ１７において、表示制御部６２は、入力検出部６１による検出結果に基づいて、入出力パネル１８から入力ツールが離れたか否かを判定する。入出力パネル１８から入力ツールが離れていないと判定された場合、換言すれば、入出力パネル１８に入力ツールがタッチされたままであると判定された場合、処理はステップＳ１４に戻る。
【０１４０】
その後、ステップＳ１４において、撮影モードアイコン１０６の近接反応領域Ｒｃ’内に入力ツールがタッチされていないと判定されるか、ステップＳ１７において、入出力パネル１８から入力ツールが離れたと判定されるまで、ステップＳ１４乃至Ｓ１７の処理が繰り返し実行される。
【０１４１】
従って、ユーザは、入力ツールを入出力パネル１８にタッチさせたまま近接反応領域Ｒｃ’内で動かすことにより、撮影モードアイコン１０６およびオプションアイコン１４１乃至１４３に対する選択を自由に変更することができる。また、アイコンの選択の変更に伴い、選択されたアイコンの表示態様が変更され、機能ガイドの表示が切り替わる。
【０１４２】
一方、ステップＳ１７において、入出力パネル１８から入力ツールが離れたと判定された場合、処理はステップＳ１８に進む。なお、これは、入力ツールが、近接反応領域Ｒｃ’内にタッチされたまま、入出力パネル１８から離れた場合である。
【０１４３】
ステップＳ１８において、ディジタルカメラ１は、選択されたアイコンに割り当てられている機能を実行する。具体的には、まず、表示制御部６２は、入出力パネル１８から入力ツールが離れる直前に選択されていたアイコンの選択を確定する。例えば、撮影モードアイコン１０６の選択中に、入力ツールが入出力パネル１８から離れた場合、撮影モードアイコン１０６の選択が確定する。同様に、オプションアイコン１４１乃至１４３のいずれかの選択中に、入力ツールが入出力パネル１８から離れた場合、選択中のオプションアイコンの選択が確定する。これにより、入出力パネル１８から入力ツールが離れる直前の接触位置に基づいて、アイコンの選択が確定する。
【０１４４】
そして、オプションアイコン１４１乃至１４３のいずれかの選択が確定した場合、例えば、表示制御部６２は、そのアイコンに割り当てられている機能を情報処理装置５２に通知する。情報処理装置５２は、ディジタルカメラ１の各部を制御して、通知された機能を実行させる。
【０１４５】
一方、撮影モードアイコン１０６の選択が確定した場合、例えば、表示制御部６２は、ディジタル信号処理部１５を介して、撮影モードを設定するための表示画面を入出力パネル１８に表示させる。
【０１４６】
図１１は、このとき入出力パネル１８に表示される表示画面（以下、撮影モード設定画面と称する）の一例を示している。
【０１４７】
図１１の撮影モード設定画面では、ディジタルカメラ１の撮影モードのうちの１つを設定する機能がそれぞれ割り当てられているアイコン２０１乃至２０８が、格子状に配列されている。なお、オプションメニュー１３３に表示されるオプションアイコン１４１乃至１４３は、例えば、アイコン２０１乃至２０８の中からユーザにより選択される。
【０１４８】
また、各アイコンの機能説明の表示を行う際に操作されるアイコン２０９、および、撮影モード設定画面を閉じ、図４の撮影待機画面を表示させる際に操作されるアイコン２１０が、右上隅に表示されている。
【０１４９】
ユーザは、オプションメニュー１３３に対する操作と同様にして、入力ツールを入出力パネル１８に近接またはタッチさせることにより、撮影モード選択画面のアイコン２０１乃至２１０の中から所望のアイコンを選択し、その選択を確定することができる。
【０１５０】
そして、表示制御部６２は、選択が確定したアイコンに割り当てられている機能を情報処理装置５２に通知する。情報処理装置５２は、ディジタルカメラ１の各部を制御して、通知された機能を実行させる。
【０１５１】
その後、表示制御処理は終了する。
【０１５２】
一方、ステップＳ１４において、検出された入力ツールの接触位置が近接反応領域Ｒｃ’から外れている場合、近接反応領域Ｒｃ’外に入力ツールがタッチされていると判定され、処理はステップＳ１９に進む。
【０１５３】
ステップＳ１９において、ステップ１２の処理と同様に、各アイコンの反応領域が元に戻される。
【０１５４】
ステップＳ２０において、ステップＳ１３の処理と同様に、オプションメニュー１３３が非表示にされる。
【０１５５】
ステップＳ２１において、ステップＳ７の処理と同様に、入力ツールの接触位置の検出が行われる。
【０１５６】
ステップＳ２２において、ステップＳ１７の処理と同様に、入出力パネル１８から入力ツールが離れたか否かが判定され、入出力パネル１８から入力ツールが離れていないと判定された場合、処理はステップＳ２１に戻る。その後、入出力パネル１８から入力ツールが離れたと判定されるまで、ステップＳ２１およびＳ２２の処理が繰り返し実行される。
【０１５７】
そして、ステップＳ２２において、入出力パネル１８から入力ツールが離れたと判定された場合、処理はステップＳ３に戻り、ステップＳ３以降の処理が実行される。
【０１５８】
以上のようにして、ユーザは、入力ツールを撮影モードアイコン１０６に近接させるだけで、オプションメニュー１３３を表示させることができる。さらに、ユーザは、そのままオプションアイコン１４１乃至１４３のいずれかの周辺に入力ツールをタッチさせるだけで、タッチしたアイコンに割り当てられている機能を実行させることできる。
【０１５９】
従って、例えば、撮影モードアイコン１０６にタッチしてから、オプションメニュー１３３を表示させた後、オプションアイコン１４１乃至１４３のいずれかにタッチするような操作を行う場合と比較して、操作ステップ数が減少する。そのため、迅速に撮影モードを設定することができ、所望の撮影モードでシャッターチャンスを逃さずに撮影することが可能になる。また、ユーザが撮影モードの設定操作に対して感じる煩わしさを軽減することができる。
【０１６０】
また、入力ツールを入出力パネル１８に近づけたまま動かすだけで、アイコンの選択が切り替わり、選択されたアイコンの表示態様が変化するので、ユーザは、入出力パネル１８にタッチする前に、選択されているアイコンを確実に認識することができる。そのため、誤って違うアイコンにタッチして、希望しない機能を実行させるような誤操作を減少させることができる。
【０１６１】
さらに、入力ツールを入出力パネル１８にタッチさせた後も、入力ツールを入出力パネル１８から離すまで、アイコンを自由に選択することができるので、仮に誤ったアイコンに入力ツールをタッチしても、所望のアイコンを選択することが可能になる。
【０１６２】
また、オプションメニュー１３３を横方向に細長く、かつ、半透明で表示することにより、領域ＡＣに表示されているスルー画が隠れる部分を小さくすることができる。そのため、被写体を十分視界に入れながら撮影モードを設定することが可能になる。従って、ユーザは、被写体の変化を認識しながら撮影モードを設定し、シャッターチャンスを逃さず撮影することができる。
【０１６３】
また、撮影モードを設定するために画面全体が切り替わり、スルー画が見えなくなることがなく、撮影中の画面の変化によりユーザが感じるストレスを軽減することができる。
【０１６４】
さらに、入力ツールを撮影モードアイコン１０６に近接させたときに、撮影モードアイコン１０６の近接反応領域が拡大されるため、操作中に入力ツールの位置が少々ぶれても、オプションメニュー１３３が閉じずに、継続して表示される。これにより、誤ってオプションメニュー１３３を閉じてしまうことが減少し、ユーザは、ストレスを感じずに、迅速に撮影モードを設定することが可能になる。
【０１６５】
＜２．変形例＞
なお、本発明の実施の形態は、上述した実施の形態に限定されるものではなく、本発明の要旨を逸脱しない範囲において種々の変更が可能である。
【０１６６】
［変形例１］
例えば、撮影モードアイコン１０６（接触反応領域Ｒｔ１）をタッチしたときに、オプションメニュー１３３に表示されるオプションアイコンの種類を変更するようにしてもよい。すなわち、撮影モードアイコン１０６に入力ツールを近接させたときとタッチさせたときで、オプションメニュー１３３の内容を変更するようにしてもよい。
【０１６７】
［変形例２］
また、例えば、撮影モードアイコン１０６（接触反応領域Ｒｔ１）をタッチした後、オプションメニュー１３３の表示を固定するようにしてもよい。すなわち、オプションメニュー１３３の表示中に、撮影モードアイコン１０６をタッチすると、その後、入力ツールを入出力パネル１８から離しても、オプションメニュー１３３の表示を継続させるようにしてもよい。これにより、ユーザは、オプションメニュー１３３の中から撮影モードをじっくり選択することが可能になる。そして、例えば、アイコンの選択を確定するか、または、近接反応領域Ｒｃ’の外をタッチしたときに、オプションメニュー１３３を閉じるようにすればよい。
【０１６８】
［変形例３］
さらに、例えば、撮影モードアイコン１０６に入力ツールを近づけたときに、オプションメニュー１３３の代わりに、図１１の撮影モード設定メニューを表示するようにしてもよい。この場合、一時的にスルー画が見えなくなるが、オプションメニュー１３３を操作する場合と同様に、アイコンの選択にかかる操作ステップが少なくてすむため、より多くの候補の中から撮影モードを迅速に選択し、スルー画を再表示させることができる。
【０１６９】
［変形例４］
また、例えば、入力ツールを入出力パネル１８から離したとき（リリース時）ではなく、タッチしたときにアイコンの選択を確定するようにしてもよい。これにより、より迅速に撮影モードの設定を行うことが可能になる。
【０１７０】
［変形例５］
さらに、例えば、入力ツールの近接位置または接触位置が近接反応領域Ｒｃ’から外れた場合に、すぐにオプションメニュー１３３を閉じずに、待機時間を設けるようにしてもよい。これにより、例えば、入力ツールの近接位置または接触位置が一時的に近接反応領域Ｒｃ’から外れても、すぐに近接反応領域Ｒｃ’内に戻すことにより、オプションメニュー１３３の表示を継続させることができる。
【０１７１】
［変形例６］
また、以上の説明では、近接時と接触時とで、オプションメニュー１３３を非表示にするか否かの判定に用いる領域（近接反応領域Ｒｃ’）を同じにする例を示したが、変化させるようにしてもよい。例えば、近接時に比べて接触時の方が、入出力パネル１８に対する入力ツールの位置を認識しやすいため、近接時に比べて接触時の近接反応領域Ｒｃ’を小さくするようにしてもよい。
【０１７２】
［変形例７］
同様に、近接時と接触時とで、各アイコンの選択判定領域を変化させるようにしてもよい。例えば、上述したように、近接時に比べて接触時の方が、入出力パネル１８に対する入力ツールの位置を認識しやすいため、近接時に比べて接触時の選択判定領域を小さくするようにしてもよい。
【０１７３】
［変形例８］
また、以上の説明では、各アイコンの選択判定領域を接触反応領域より大きくする例を示したが、接触反応領域をそのまま選択判定領域として用いるようにしてもよい。
【０１７４】
［変形例９］
さらに、各アイコンの接触反応領域（あるいは選択判定領域）を、必ずしも対応するアイコンの表示領域を全て含むようにする必要はなく、対応するアイコンの表示領域の一部のみを含むようにしてもよい。例えば、アイコンが狭い間隔で隣接している場合、接触反応領域（あるいは選択判定領域）を各アイコンの表示領域より小さく設定することにより、隣のアイコンを誤って選択することを防止することができる。
【０１７５】
また、アイコン毎に各種の反応領域の大きさを変えるようにしてもよい。
【０１７６】
［変形例１０］
さらに、以上の説明では、入力ツールの近接位置または接触位置が、いずれのアイコンの選択判定領域にも含まれていない場合、アイコンの選択状態を維持する例を示したが、例えば、オプションメニュー１３３を表示したまま、アイコンの選択を解除するようにしてもよい。
【０１７７】
［変形例１１］
また、オプションメニュー１３３内のオプションアイコンの配置は、上述した例に限定されるものではなく、任意に設定することが可能である。例えば、オプションアイコンを縦に並べたり、２次元に配列したりすることも可能である。
【０１７８】
さらに、オプションメニュー１３３の形状、大きさ、表示位置、表示方向等も、撮影モードアイコン１０６の位置、撮影モードアイコン１０６を含むアイコンの列の方向や位置、オプションメニュー１３３の内容等により、変えるようにしてもよい。
【０１７９】
［変形例１２］
また、以上の説明では、オプションメニュー１３３の表示のトリガとなる撮影モードアイコン１０６も選択できるメニュー構成を示したが、本発明は、メニュー表示のトリガとなるアイコンを選択できない構成のメニューを表示する場合にも適用できる。例えば、撮影モードアイコン１０６がオプションメニュー１３３を表示させるために用いられ、オプションアイコン１４１乃至１４３のみを選択できるようなメニュー構成の場合である。
【０１８０】
［変形例１３］
さらに、本発明は、撮影モードの設定以外の操作を行う場合にも適用することができる。例えば、各種操作のショートカット機能を複数のショートカットアイコンに割り当てておき、所定のアイコンに入力ツールを近接させたときに、それらのショートカットアイコンを含むメニューを表示させる場合等が考えられる。
【０１８１】
［変形例１４］
また、本発明は、例えば、文字列、動画や静止画のサムネイルなど、アイコン以外のアイテムを選択する場合にも適用することができる。従って、例えば、オプションメニュー１３３内のアイテムを、機能名等を示す文字列により構成することも可能である。
【０１８２】
［変形例１５］
さらに、例えば、選択中のアイテムに関連する情報として、ファイル名、撮影日、更新日等、機能以外の情報を表示するようにすることも可能である。
【０１８３】
［変形例１６］
また、本発明は、一度に複数のアイテムを選択可能な場合にも適用することができる。例えば、複数のアイテムの間に入力ツールを近接またはタッチさせることにより、その周辺の複数のアイテムを一度に選択したり、検出される近接位置および接触位置の範囲が大きく、一度に複数のアイテムを選択できる場合にも適用できる。この場合、例えば、選択中の複数のアイテムの表示態様を、上述したように変化させるようにすればよい。
【０１８４】
［変形例１７］
さらに、本発明は、ディジタルカメラ以外の、近接により、または、近接およびタッチにより操作が可能な表示装置を備えた装置、および、それらの装置の表示制御を行う装置に適用することが可能である。例えば、PC（パーソナルコンピュータ）、携帯情報端末（例えば、携帯電話機、携帯型音楽プレーヤ、電子ブックリーダ等）、ディジタルビデオカメラ、ゲーム機器、ナビゲーション装置、テレビジョン受像機、ディスプレイ、表示機能付の各種装置のコントローラ（リモートコントローラを含む）等に適用できる。
【０１８５】
具体的には、例えば、PC等で画像の編集を行っているときに、編集中の画像を表示したまま、編集の種類を選択するためのメニューを表示する場合に適用できる。また、例えば、PCやナビゲーション装置等で地図の閲覧中に、地図の表示形態（衛星写真表示、地図表示、ランドマーク表示等）を選択するためのメニューを表示する場合に適用できる。
【符号の説明】
【０１８６】
１  ディジタルカメラ，  １５  ディジタル信号処理部，  １６  入力部，  １７  表示部，  １８  入出力パネル，  １９  記録デバイス，  ２３  CPU，  ２４  操作部，  ２５  EEPROM，  ２６  プログラムROM，  ２７  RAM，  ５１  表示制御装置，  ５２  情報処理装置，  ６１  入力検出部，  ６２  表示制御部，  １０６  撮影モードアイコン，  １３１  カーソル，  １３２  機能ガイド，  １３３  オプションメニュー，  １４１乃至１４３  オプションアイコン，  １５１  機能ガイド，  ２０１乃至２１０  アイコン，  Ｒｃ，Ｒｃ’  近接反応領域，  Ｒｔ１乃至Ｒｔ４  接触反応領域
【図１】
0005652652.tif 000002
【図２】
0005652652.tif 000003
【図３】
0005652652.tif 000004
【図４】
0005652652.tif 000005
【図５】
0005652652.tif 000006
【図６】
0005652652.tif 000007
【図７】
0005652652.tif 000008
【図８】
0005652652.tif 000009
【図９】
0005652652.tif 000010
【図１０】
0005652652.tif 000011
【図１１】
0005652652.tif 000012